【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
細胞ベースの診断を使用した一般的病態を検出するか又は特定の病態を判別するためのパネルであって、一般的病態又は特定の病態に関連するマーカーにそれぞれ特異的に結合する複数のプローブを含み、パネルの成分プローブによる細胞学的標本中の細胞への結合パターンにより、前記病態の存在又は特定の性質を診断することを特徴とするパネル。
【請求項２】
前記一般的病態が、がん及び感染症からなる群から選択される、請求項１のパネル。
【請求項３】
前記一般的病態ががんであり、上皮細胞系のがん、固形腫瘍系のがん、分泌腺腫瘍系のがん及び血液系のがんからなる群から選択されるか、又は前記一般的病態が感染症であり、感染性生物がウイルス、細菌、原生動物、寄生虫もしくは真菌類である細胞ベースの疾患から選択される、請求項２のパネル。
【請求項４】
前記パネルが、費用、地理的位置での一般的病態の有病率、地理的位置での特定の病態の有病率、プローブの利用可能性、及び営利的検討事項からなる群から選択される重み係数の使用によって至適化される、請求項１のパネル。
【請求項５】
前記各プローブが、検出可能な標識を含むか、又は抗体を含む、請求項１のパネル。
【請求項６】
前記各プローブが、検出可能な標識を含み、前記標識が、発色団、フルオロフォア、色素、放射性同位体、及び酵素からなる群から選択される、請求項５のパネル。
【請求項７】
前記標識が、β線、γ線、Ｘ線、紫外線、可視光線、赤外線、及びマイクロ波からなる群から選択される電磁放射線を使用して検出される発色団である、請求項６のパネル。
【請求項８】
光子顕微鏡検査法を使用して前記結合パターンを検出し、任意選択的に、前記光子顕微鏡検査法が、γ線、Ｘ線、β線、紫外線、可視光線、赤外線、及びマイクロ波からなる群から選択される少なくとも１つの電磁放射線を使用する、請求項１のパネル。
【請求項９】
前記検出が肺がん用であり、前記判別を、扁平上皮がん、腺がん、大細胞がん、小細胞がん、及び中皮腫について行なう、請求項３のパネル。
【請求項１０】
前記検出が性感染病であり、前記判別を、クラミジア、トリコモナス、淋病、ヘルペス、及び梅毒について行なう、請求項１のパネル。
【請求項１１】
（ａ）病態に関連するマーカーのライブラリーのメンバーにそれぞれ特異的に結合するプローブ結合の感受性及び特異性を決定するステップと、
（ｂ）結合パターンにより前記病態の存在又は特定の性質が診断される限定された複数のプローブを選択するステップと
を含む、細胞ベースの診断を使用した患者の病態の検出又は病態の判別のためのパネルの形成方法。
【請求項１２】
前記決定が、
（ａ）前記疾患を罹患していることが知られている患者由来の組織学的又は細胞学的サンプル及び前記疾患を罹患していないことが知られている患者由来の組織学的又は細胞学的サンプルを、前記各プローブにそれぞれ接触させるステップと、
（ｂ）遺伝子座においてその相補疾患マーカーを用いて各プローブの特異的結合量を測定するステップと、ここで、前記相補疾患マーカーは前記サンプルの細胞中に存在することが知られている、
（ｃ）前記量と前記疾患の存在又は特定の性質とを相関させるステップと
を含む、請求項１１の方法。
【請求項１３】
前記選択が、
（ｉ）統計分析法、
（ｉｉ）パターン認識法、
（ｉｉｉ）神経回路網分析、及び
（ｉｖ）重み係数の使用
のうち、１つ又は複数を含む、請求項１１の方法。
【請求項１４】
（ａ）病態に特徴的な異常細胞を含むと疑われる細胞学的サンプルに、請求項１に記載のパネルを接触させるステップと、
（ｂ）前記病態の存在又は特定の性質を診断する前記プローブの結合パターンを検出するステップと
を含む、疾患を検出する又は病態を判別する方法。
【請求項１５】
前記細胞学的サンプルが、体液、上皮細胞ベースの器官系、細針吸引、又は生検から採取された細胞サンプルであり、例えば、
（ａ）前記細胞学的サンプルが喀痰であり、
（ｂ）前記体液が、血液、尿、脊髄液、及びリンパからなる群から選択され、
（ｃ）前記上皮細胞系の器官系が、気道、尿路、生殖管、及び胃腸管からなる群から選択され、
（ｄ）前記細針吸引が、器官及び系における固形組織型に由来し、任意選択的に、前記器官及び系が、乳房、膵臓、肝臓、腎臓、甲状腺、骨髄、筋肉、前立腺、及び肺からなる群から選択され、又は、
（ｅ）前記生検が、器官及び系における固形組織型に由来し、任意選択的に、前記器官及び系が、乳房、膵臓、肝臓、腎臓、甲状腺、骨髄、筋肉、前立腺、及び肺からなる群から選択される
請求項１４の方法。
【請求項１６】
請求項１２に記載の方法によって形成された、細胞ベースの診断を使用した一般的病態を検出又は特定の病態を判別するためのパネル。
【請求項１７】
前記病態が肺がんである、請求項２１のパネル。
【請求項１８】
前記疾患マーカーが、形態学的生物マーカー、遺伝的生物マーカー、細胞周期生物マーカー、分子生物マーカー、及び生化学的生物マーカーからなる群から選択される、請求項１のパネル。
【請求項１９】
前記がんが、肺（ｐｕｌｍｏｎａｒｙ）、尿路、胃腸管、及び生殖管からなる群から選択される上皮細胞系のがんであり、前記がんが、肉腫、乳がん、膵臓がん、肝臓がん、腎臓がん、甲状腺がん、及び前立腺がんからなる群から選択される固形腫瘍系のがんであり、前記がんが、肉腫、乳がん、膵臓がん、肝臓がん、腎臓がん、甲状腺がん、及び前立腺がんからなる群から選択される分泌腺系のがんであり、又は、前記がんが、白血病及びリンパ腫からなる群から選択される血液系のがんである、請求項３のパネル。
【請求項２０】
前記病態が肺がんであり、前記プローブがＧｌｕｔ１、ＨＥＲＡ、ＦＧＦ、テロメラーゼ、ＰＣＮＡ、ＣＤ４４ｖ６、サイクリンＡ、ＨＧＦ、ＭＵＣ−１、甲状腺転写因子、ＶＥＧＦ、ＥＧＦ受容体、ＰＣＮＡ、ｎｍ２３、Ｅ−カドヘリン、Ｂｃｌ−２、サイクリンＤ１、ＲＢ、Ｎ−カドヘリン、トロンボモジュリン、及びこれらに機能的に関連するマーカーからなる群から選択されるマーカーに結合する、請求項１９のパネル。
【請求項２１】
前記疾患マーカーが、ＤＮＡ倍数体、ＭＡＣ、及び前悪性病変からなる群から選択される形態学的生物マーカーであり、前記疾患マーカーが、ＤＮＡ付加物、ＤＮＡ変異体、及びアポトーシス指数からなる群から選択される前記遺伝的生物マーカーであり、前記疾患マーカーが、細胞増殖マーカー、分化マーカー、及び調節分子からなる群から選択される細胞周期生物マーカーであり、又は前記疾患マーカーが、がん遺伝子、腫瘍抑制遺伝子、腫瘍抗原、成長因子及び受容体、酵素、タンパク質、プロスタグランジン、ならびに接着分子からなる群から選択される分子生物マーカー又は生化学的生物マーカーである、請求項１８のパネル。
【請求項２２】
前記肺がん（ｐｕｌｍｏｎａｒｙ  ｃａｎｃｅｒ）が、肺がん（ｌｕｎｇ  ｃａｎｃｅｒ）である、請求項１９のパネル。
【請求項２３】
（ａ）基質を選択するステップと、
（ｂ）請求の範囲に記載する方法によりプローブを選択するステップと
（ｃ）ＶＥＧＦ、トロンボモジュリン、ＣＤ４４ｖ６、ＳＰ−Ａ、網膜芽細胞腫、Ｅ−カドヘリン、サイクリンＡ，ｎｍ２３、テロメラーゼ、Ｍｉｂ−１（Ｋｉ−６７）、サイクリンＤ１、ＰＣＮＡ、ＭＡＧＥ−１、ＭＵＣ−１、ＳＰ−Ｂ、ＨＥＲＡ、ＦＧＦ−２、ｃ−ＭＥＴ、甲状腺転写因子−１、ＢＣＬ−２、Ｐ１２０、Ｎ−カドヘリン、ＥＧＦＲ，Ｇｌｕｔ１、ＥＲ関連（ｐ２９）、ＭＡＧＥ３、Ｇｌｕｔ３、ＰＣＮＡ、又は図４に示された相関マトリックスにおいて示されるようなそれらの相関マーカー及びそれらに機能的に関連するマーカーからなる群から選択されるマーカーに特異的に結合する抗体と、任意選択的に検出可能な標識とを含む少なくとも一のプローブを、基質に提供するステップと、
（ｄ）従来の方法によりパネルを得るステップと
を含む、肺がん（ｌｕｎｇ  ｃａｎｃｅｒ）の細胞ベースの検出のためのパネルを調整する、又は肺がん（ｌｕｎｇ  ｃａｎｃｅｒ）のタイプを判別する方法。
【請求項２４】
（ａ）標識が、発色団、フルオロフォア、色素、放射性同位体、及び酵素からなる群から選択され、及び／又は、
（ｂ）プローブが、統計学的解析法、パターン認識法、ニューラルネットワーク解析及び重み係数又はその組み合わせからなる方法により選択される
請求項２３の方法。
【請求項２５】
（ａ）プローブの結合の感受性又は特異性を決定するステップと、ここで、各々のプローブはがんに関連するマーカーのライブラリーのメンバーに特異的に結合し、
（ｂ）重み係数を用いて、限定された前記複数のプローブを選択するステップと、ここで、プローブの結合パターンにより、がんの病態の存在又は特定の性質を診断し、
を含む、細胞ベースの診断を用いてがんを検出する、又は患者のがんのタイプを判別するためのパネルの形成方法。
【請求項２６】
（ａ）前記選択ステップが、統計学的解析方法、パターン認識法及びニューラルネットワーク解析のうちの１以上を含み、
（ｂ）前記使用者が供給する重み係数は、費用、営利的検討事項、誤判別、誤差率
地理的位置でのがんの有病率、プローブの重複性、及びプローブの利用可能性からなる群から選択され、
（ｃ）前記検出は、免疫細胞化学、免疫組織化学、in situハイブリダイゼーション、蛍光in situハイブリダイゼーション、発色in situハイブリダイゼーション、フロー微蛍光測定、フローサイトメトリー及び画像サイトメトリーからなる群から選択される一以上の方法であり、
（ｄ）前記検出は、放射活性、フルオロジェニック、発色体及び酵素標識からなる群から選択させる一以上の方法により、
（ｅ）前記決定は、
（ｉ）がんに罹患している患者由来の組織学的又は細胞学的サンプルと、がんに罹患していない患者由来の組織学的又は細胞学的サンプルとを、別個に、前記プローブのそれぞれと接触させるステップと、
（ｉｉ）遺伝子座においてその相補疾患マーカーを用いて各プローブの特異的結合量を測定するステップと、ここで、前記相補疾患マーカーは前記サンプルの細胞中に存在することが知られている
（ｉｉｉ）前記量と前記がんの存在又は特定の性質とを相関させるステップと
を含む、
請求項２５の方法。
【請求項２７】
（ａ）パネルが、それぞれが肺がんと関連するマーカーに特異的に結合する複数のプローブを含み、
（ｂ）細胞学的サンプルにおいて細胞へのパネルの成分プローブの結合パターンにより、肺がんの存在を診断し、
（ｃ）前記複数のプローブは、サイクリンＡ又はその相関マーカーに結合するプローブと、ＳＰ−Ｂ、ＨＥＲＡ、ＥＲ関連（ｐ２９）、又は図４に示された相関マトリックスにおいて示されるようなそれらの相関マーカー及びそれらに機能的に関連するマーカーからなる群から選択されるマーカーに特異的に結合する少なくとも２つのプローブとを含む
ことを特徴とする肺がんの検出のためのパネル。
【請求項２８】
一以上の顕微鏡スライド上の細胞学的サンプルからの細胞を複数のプローブを含むパネルに接触させるステップと、肺がんを検出するために前記細胞サンプルの細胞へのパネルの成分プローブの結合パターンを解析するステップとを含む、肺がんの検出のための細胞ベースの方法であって、
前記複数のプローブは、サイクリンＡ又はその相関マーカーに結合するプローブと、ＳＰ−Ｂ、ＨＥＲＡ、ＥＲ関連（ｐ２９）、又は図４に示された相関マトリックスにおいて示されるようなそれらの相関マーカー及びそれらに機能的に関連するマーカーからなる群から選択されるマーカーに特異的に結合する少なくとも２つのプローブとを含むことを特徴とする、方法。
【請求項２９】
肺がんに関連するマーカーに特異的に結合する複数のプローブを含む、肺がんの検出のためのパネルであって、
（ａ）細胞学的サンプルにおける細胞へのパネルの成分プローブの結合パターンにより、肺がんの存在を診断し、
（ｂ）前記複数のプローブが、サイクリンＡ、ＳＰ−Ｂ、ＨＥＲＡ及びＥＲ関連（ｐ２９）に結合するプローブを含む、
ことを特徴とするパネル。
【請求項３０】
一以上の顕微鏡スライド上の細胞学的サンプルからの細胞を複数のプローブを含むパネルに接触させるステップと、肺がんを検出するために前記細胞学的サンプルの細胞へのパネルの成分プローブの結合パターンを解析するステップとを含む、肺がんを検出するための細胞ベースの方法であって、
前記複数のプローブは、サイクリンＡに結合するプローブと、ＳＰ−Ｂ、ＨＥＲＡ及びＥＲ関連（ｐ２９）からなる群から選択されるマーカーに結合する少なくとも一のプローブとを含む
ことを特徴とする、方法。
【請求項３１】
肺がんの特異的なタイプに関連するマーカーに特異的に結合する複数のプローブを含む、肺がんのタイプを判別するためのパネルであって、
（ａ）パネルは、腺癌を肺がんの他のタイプから判別するためのパネルであり、前記複数のプローブが、
（ｉ）ムチンＩ、図４に示された相関マトリックスにおいて示されるようなその相関マーカー、又はそれらに機能的に関連するマーカーに結合するプローブと、
（ｉｉ）甲状腺転写因子１、図４に示された相関マトリックスにおいて示されるようなその相関マーカー、又はそれらに機能的に関連するマーカーに結合するプローブと
を含み、
（ｂ）パネルは、腺癌を肺がんの他のタイプから判別するためのパネルであり、前記複数のプローブは、
（ｉ）ムチンＩ、図４に示された相関マトリックスにおいて示されるようなその相関マーカー、又はそれらに機能的に関連するマーカーに結合するプローブと、
（ｉｉ）甲状腺転写因子１、図４に示された相関マトリックスにおいて示されるようなその相関マーカー、又はそれらに機能的に関連するマーカーに結合するプローブと、
（ｉｉｉ）ＶＥＧＦ、ＳＰ−Ａ、ＢＣＬ−２、ＥＲ関連（ｐ２９）、Ｇｌｕｔ１、図４に示された相関マトリックスにおいて示されるようなそれらの相関マーカー、及びそれらに機能的に関連するマーカーからなる群から選択されるマーカーに結合する少なくとも一のプローブと
を含み、
（ｃ）パネルは、扁平上皮細胞癌を他のタイプの肺がんから判別するためのパネルであり、前記複数のプローブは、
（ｉ）ＣＤ４４ｖ６、図４に示された相関マトリックスにおいて示されるようなその相関マーカー、又はそれらに機能的に関連するマーカーに結合するプローブと、
（ｉｉ）ＥＲ関連（ｐ２９）、図４に示された相関マトリックスにおいて示されるようなその相関マーカー、又はそれらに機能的に関連するマーカーに結合するプローブと
を含み、
（ｄ）パネルは、扁平上皮細胞癌を他のタイプの肺がんから判別するためのパネルであり、前記複数のプローブは、
（ｉ）ＣＤ４４ｖ６、図４に示された相関マトリックスにおいて示されるようなその相関マーカー、又はそれらに機能的に関連するマーカーに結合するプローブと、
（ｉｉ）ＥＲ関連（ｐ２９）、図４に示された相関マトリックスにおいて示されるようなその相関マーカー、又はそれらに機能的に関連するマーカーに結合するプローブと、
（ｉｉｉ）ＶＥＧＦ、トロンボモジュリン、Ｇｌｕｔ１、ＭＡＧＥ３、図４に示された相関マトリックスにおいて示されるようなそれらの相関マーカー、及びそれらに機能的に関連するマーカーからなる群から選択されるマーカーに結合する少なくとも一のプローブと
を含み、
（ｅ）パネルは、大細胞癌を他のタイプの肺がんから判別するためのパネルであり、前記複数のプローブは、
（ｉ）ＶＥＧＦ、図４に示された相関マトリックスにおいて示されるようなその相関マーカー、又はそれらに機能的に関連するマーカーに結合するプローブと、
（ｉｉ）Ｐ１２０、図４に示された相関マトリックスにおいて示されるようなその相関マーカー、又はそれらに機能的に関連するマーカーに結合するプローブと
を含み、
（ｆ）パネルは、大細胞癌を他のタイプの肺がんから判別するためのパネルであり、前記複数のプローブは、
（ｉ）ＶＥＧＦ、図４に示された相関マトリックスにおいて示されるようなその相関マーカー、又はそれらに機能的に関連するマーカーに結合するプローブと、
（ｉｉ）Ｐ１２０、図４に示された相関マトリックスにおいて示されるようなその相関マーカー、又はそれらに機能的に関連するマーカーに結合するプローブと、
（ｉｉｉ）サイクリンＡ、図４に示された相関マトリックスにおいて示されるようなその相関マーカー、又はそれらに機能的に関連するマーカーに結合するプローブと
を含み、
（ｇ）パネルは、中皮腫を他のタイプの肺がんから判別するためのパネルであり、前記複数のプローブは、
（ｉ）ＣＤ４４ｖ６、図に示された相関マトリックスにおいて示されるようなその相関マーカー、又はそれらに機能的に関連するマーカーに結合するプローブと、
（ｉｉ）ＰＣＮＡ、図４に示された相関マトリックスにおいて示されるようなその相関マーカー、又はそれらに機能的に関連するマーカーに結合するプローブと、
（ｉｉｉ）ＨＥＲＡ、図４に示された相関マトリックスにおいて示されるようなその相関マーカー、又はそれらに機能的に関連するマーカーに結合するプローブと
を含み、
（ｈ）パネルは、中皮腫を他のタイプの肺がんから判別するためのパネルであり、前記複数のプローブは、ＣＤ４４ｖ６、図に示された相関マトリックスにおいて示されるようなその相関マーカー、又はそれらに機能的に関連するマーカーに結合するプローブとを含み、
（ｉ）パネルは、中皮腫を他のタイプの肺がんから判別するためのパネルであり、前記パネルは、ＰＣＮＡ、図４に示された相関マトリックスにおいて示されるようなその相関マーカー、又はそれらに機能的に関連するマーカーに結合するプローブを含み、又は、
（ｊ）パネルは、小細胞癌を他のタイプの肺がんから判別するためのパネルであり、前記複数のプローブは、
（ｉ）ＰＣＮＡ、図４に示された相関マトリックスにおいて示されるようなその相関マーカー、又はそれらに機能的に関連するマーカーに結合するプローブと、
（ｉｉ）ＢＣＬ−２、図４に示された相関マトリックスにおいて示されるようなその相関マーカー、又はそれらに機能的に関連するマーカーに結合するプローブと、
（ｉｉｉ）ＥＧＦＲ、図４に示された相関マトリックスにおいて示されるようなその相関マーカー、又はそれらに機能的に関連するマーカーに結合するプローブと
を含む
ことを特徴とする、パネル。
【請求項３２】
肺がんのタイプを判別するための細胞ベースの方法であって、
（ａ）一以上の顕微鏡スライド上の細胞学的サンプルからの細胞を複数のプローブを含むパネルに接触させるステップと、
（ｂ）肺がんのタイプを判別するために、前記細胞学的サンプルの細胞へのパネルの成分プローブの結合パターンを解析するステップと、
（ｉ）前記方法は、腺癌を他のタイプの肺がんから判別するためであり、前記複数のプローブは、
（１）ムチン１、図４に示された相関マトリックスにおいて示されるようなその相関マーカー、又はそれらに機能的に関連するマーカーに結合するプローブと、
（２）甲状腺転写因子１、図４に示された相関マトリックスにおいて示されるようなその相関マーカー、又はそれらに機能的に関連するマーカーに結合するプローブと
を含み、
（ｉｉ）前記方法は、腺癌を他のタイプの肺がんから判別するためであり、前記複数のプローブは、
（１）ムチン１、図４に示された相関マトリックスにおいて示されるようなその相関マーカー、又はそれらに機能的に関連するマーカーに結合するプローブと、
（２）甲状腺転写因子１、図４に示された相関マトリックスにおいて示されるようなその相関マーカー、又はそれらに機能的に関連するマーカーに結合するプローブと、
（３）ＶＥＧＦ、ＳＰ−Ａ、ＢＣＬ−２、ＥＲ関連（ｐ２９）、Ｇｌｕｔ１、図４に示された相関マトリックスにおいて示されるようなそれらの相関マーカー、及びそれらに機能的に関連するマーカーからなる群から選択されるマーカーに結合する少なくとも一のプローブと
を含み、
（ｉｉｉ）前記方法は、扁平上皮細胞癌を他のタイプの肺がんから判別するためであり、前記複数のプローブは、
（１）ＣＤ４４ｖ６、図４に示された相関マトリックスにおいて示されるようなその相関マーカー、又はそれらに機能的に関連するマーカーに結合するプローブと、
（２）ＥＲ関連（ｐ２９）、図４に示された相関マトリックスにおいて示されるようなその相関マーカー、又はそれらに機能的に関連するマーカーに結合するプローブと
を含み、
（ｉｖ）前記方法は、扁平上皮細胞癌を他のタイプの肺がんから判別するためであり、前記複数のプローブは、
（１）ＣＤ４４ｖ６、図４に示された相関マトリックスにおいて示されるようなその相関マーカー、又はそれらに機能的に関連するマーカーに結合するプローブと、
（２）ＥＲ関連（ｐ２９）、図４に示された相関マトリックスにおいて示されるようなその相関マーカー、又はそれらに機能的に関連するマーカーに結合するプローブと、
（３）ＶＥＧＦ、トロンボモジュリン、Ｇｌｕｔ１、ＭＡＧＥ３、図４に示された相関マトリックスにおいて示されるようなそれらの相関マーカー、及びそれらに機能的に関連するマーカーからなる群から選択されるマーカーに結合する少なくとも一のプローブと
を含み、
（ｖ）前記方法は、大細胞癌を他のタイプの肺がんから判別するためであり、前記複数のプローブは、
（１）ＶＥＧＦ、図４に示された相関マトリックスにおいて示されるようなその相関マーカー、又はそれらに機能的に関連するマーカーに結合するプローブと、
（２）Ｐ１２０、図４に示された相関マトリックスにおいて示されるようなその相関マーカー、又はそれらに機能的に関連するマーカーに結合するプローブと
を含み、
（ｖｉ）前記方法は、大細胞癌を他のタイプの肺がんから判別するためであり、前記複数のプローブは、
（１）ＶＥＧＦ、図４に示された相関マトリックスにおいて示されるようなその相関マーカー、又はそれらに機能的に関連するマーカーに結合するプローブと、
（２）Ｐ１２０、図４に示された相関マトリックスにおいて示されるようなその相関マーカー、又はそれらに機能的に関連するマーカーに結合するプローブと、
（３）サイクリンＡ、図４に示された相関マトリックスにおいて示されるようなその相関マーカー、又はそれらに機能的に関連するマーカーに結合するプローブと
を含み、
（ｖｉｉ）前記方法は、中皮腫を他のタイプの肺がんから判別するためであり、前記複数のプローブは、
（１）ＣＤ４４ｖ６、図４に示された相関マトリックスにおいて示されるようなその相関マーカー、又はそれらに機能的に関連するマーカーに結合するプローブと、
（２）ＰＣＮＡ、図４に示された相関マトリックスにおいて示されるようなその相関マーカー、又はそれらに機能的に関連するマーカーに結合するプローブと、
（３）ＨＥＲＡ、図４に示された相関マトリックスにおいて示されるようなその相関マーカー、又はそれらに機能的に関連するマーカーに結合するプローブと
を含み、
（ｖｉｉｉ）前記方法は、中皮腫を他のタイプの肺がんから判別するためであり、前記複数のプローブは、ＣＤ４４ｖ６、図に示された相関マトリックスにおいて示されるようなその相関マーカー、又はそれらに機能的に関連するマーカーに結合するプローブとを含み、
（ｉｘ）前記方法は、中皮腫を他のタイプの肺がんから判別するためであり、前記複数のプローブは、ＰＣＮＡ、図４に示された相関マトリックスにおいて示されるようなその相関マーカー、又はそれらに機能的に関連するマーカーに結合するプローブを含み、又は、
（ｘ）前記方法は、小細胞癌を他のタイプの肺がんから判別するためであり、前記複数のプローブは、
（１）ＰＣＮＡ、図４に示された相関マトリックスにおいて示されるようなその相関マーカー、又はそれらに機能的に関連するマーカーに結合するプローブと、
（２）ＢＣＬ−２、図４に示された相関マトリックスにおいて示されるようなその相関マーカー、又はそれらに機能的に関連するマーカーに結合するプローブと、
（３）ＥＧＦＲ、図４に示された相関マトリックスにおいて示されるようなその相関マーカー、又はそれらに機能的に関連するマーカーに結合するプローブと
を含む
ことを特徴とする方法。